(57)【要約】  複数の色に対応する複数の映像信号と１対１で対応し、かつ、前記複数の映像信号のうち、自己に対応する対応映像信号を受け付けると、前記対応映像信号を補正した補正信号を出力する、複数の補正手段（３Ｒ１，３Ｇ１，３Ｂ１）と、前記複数の補正手段（３Ｒ１，３Ｇ１，３Ｂ１）のそれぞれから出力された補正信号を、１つずつ順番に出力する出力制御手段と、前記出力制御手段から前記補正信号が出力されるごとに、当該補正信号の元になった映像信号に対応する色の光を発する照射手段と、前記出力制御手段から前記補正信号が出力されるごとに、前記照射手段から発せられた光を、当該補正信号に応じて変調して出力する液晶表示素子とを有し、前記複数の補正手段（３Ｒ１，３Ｇ１，３Ｂ１）は、前記対応映像信号を前記他の映像信号の上位ビットに基づいて補正した補正映像信号を、前記補正信号として出力する液晶表示装置。
2010073393.tif 000002
【特許請求の範囲】
【請求項１】
複数の色に対応する複数の映像信号と１対１で対応し、かつ、前記複数の映像信号のうち、自己に対応する対応映像信号を受け付けると、前記対応映像信号を補正した補正信号を出力する、複数の補正手段と、
前記複数の補正手段のそれぞれから出力された補正信号を、１つずつ順番に出力する出力制御手段と、
前記出力制御手段から前記補正信号が出力されるごとに、当該補正信号の元になった映像信号に対応する色の光を発する照射手段と、
前記出力制御手段から前記補正信号が出力されるごとに、前記照射手段から発せられた光を、当該補正信号に応じて変調して出力する液晶表示素子と、を含み、
前記複数の補正手段の少なくとも１つは、前記対応映像信号と、当該対応映像信号を補正した補正信号の直前または直後に前記出力制御手段から出力される他の補正信号の元になった他の映像信号の一部と、を受け付けると、前記対応映像信号を前記他の映像信号の一部に基づいて補正した補正映像信号を、前記補正信号として出力する、液晶表示装置。
【請求項２】
前記複数の補正手段のうちの少なくとも１つは、前記対応映像信号および前記他の映像信号の一部と、前記補正映像信号と、を互いに関連づけて格納し、前記対応映像信号および前記他の映像信号の一部を受け付けると、前記補正映像信号を、前記補正信号として出力する格納手段である、請求の範囲第１項に記載の液晶表示装置。
【請求項３】
前記複数の補正手段のうちの少なくとも１つでは、前記液晶表示素子での前記色ごとの応答特性の違いに基づいて、前記他の映像信号の一部が設定されている、請求の範囲第１項または第２項に記載の液晶表示装置。
【請求項４】
前記複数の補正手段のうちの少なくとも１つは、前記他の映像信号の一部の代わりに、他の補正手段が当該他の映像信号を補正した補正信号の一部を受け付け、かつ、前記対応映像信号を受け付けると、前記対応映像信号を前記補正信号の一部に基づいて補正した補正信号を出力する映像信号補正手段である、請求の範囲第１項から第３項のいずれか１項に記載の液晶表示装置。
【請求項５】
前記複数の映像信号は、１フレームを構成し、
前記１フレームが更新された際に、更新前の１フレームを構成する前記複数の映像信号のそれぞれに対応する複数の補正信号のうち前記出力制御手段から最後に出力される補正信号の元になった映像信号を記憶する記憶手段をさらに含み、
前記複数の補正手段のうち、前記１フレームを構成する前記複数の映像信号のそれぞれに対応する複数の補正信号のうち前記出力制御手段から最初に出力される補正信号の元になった映像信号に１対１で対応する補正手段は、前記他の映像信号の一部として、前記記憶手段内の映像信号の一部を受け付け、かつ、前記対応映像信号を受け付けると、前記対応映像信号を前記記憶手段内の映像信号の一部に基づいて補正した補正信号を出力する、色映像信号補正手段である、請求の範囲第１項から第４項のいずれか１項に記載の液晶表示装置。
【請求項６】
前記出力制御手段は、前記複数の補正手段のそれぞれから出力された補正信号を受け付けると、当該補正信号を、前記液晶表示素子が有する印加電圧と光の透過率との関係に応じて補正した、特性補正信号を出力し、前記補正信号の代わりに、当該特性補正信号を、１つずつ順番に出力する出力補正制御手段である、請求の範囲第１項から第５項のいずれか１項に記載の液晶表示装置。
【請求項７】
前記特性補正信号は、無彩色の画像を形成するための映像信号を用いて作成されたものである、請求の範囲第６項に記載の液晶表示装置。
【請求項８】
前記複数の映像信号と異なる数の映像信号から前記複数の映像信号を生成する生成手段をさらに含む、請求の範囲第１項から第７項のいずれか１項に記載の液晶表示装置。
【請求項９】
駆動信号を受け付けると当該駆動信号に対応する色の光を前記駆動信号に応じて変調して出力する液晶表示素子の駆動回路であって、
複数の色に対応する複数の映像信号と１対１で対応し、かつ、前記複数の映像信号のうち、自己に対応する対応映像信号を受け付けると、前記対応映像信号を補正した補正信号を出力する、複数の補正手段と、
前記複数の補正手段のそれぞれから出力された補正信号を、１つずつ順番に、前記駆動信号として前記液晶表示素子に出力する出力制御手段と、を含み、
前記複数の補正手段の少なくとも１つは、前記対応映像信号と、当該対応映像信号を補正した補正信号の直前または直後に前記出力制御手段から出力される他の補正信号の元になった他の映像信号の一部と、を受け付けると、前記対応映像信号を前記他の映像信号の一部に基づいて補正した補正映像信号を、前記補正信号として出力する、液晶表示素子の駆動回路。
【請求項１０】
前記複数の補正手段のうちの少なくとも１つは、前記対応映像信号および前記他の映像信号の一部と、前記補正映像信号と、を互いに関連づけて格納し、前記対応映像信号および前記他の映像信号の一部を受け付けると、前記補正映像信号を、前記補正信号として出力する格納手段である、請求の範囲第９項に記載の液晶表示素子の駆動回路。
【請求項１１】
複数の映像信号に対応する複数の色の画像を順番に表示することにより、カラー画像を表示するＦＳＣ方式の液晶表示装置が行うカラー画像生成方法であって、
前記複数の映像信号と１対１で対応する複数の補正手段のそれぞれが、前記複数の映像信号のうち、自己に対応する対応映像信号を受け付けると、前記対応映像信号を補正した補正信号を出力し、
前記補正信号を、１つずつ順番に出力し、
前記補正信号が１つずつ順番に出力されるごとに、当該補正信号の元になった映像信号に対応する色の光を発し、
前記補正信号が１つずつ順番に出力されるごとに、前記光を、当該補正信号に応じて変調して出力し、
前記複数の補正手段の少なくとも１つが、前記対応映像信号と、当該対応映像信号を補正した補正信号の直前または直後に出力される他の補正信号の元になった他の映像信号の一部と、を受け付けると、前記対応映像信号を前記他の映像信号の一部に基づいて補正した補正映像信号を、前記補正信号として出力する、カラー画像生成方法。
【請求項１２】
前記複数の補正手段のうちの少なくとも１つは、前記対応映像信号および前記他の映像信号の一部と、前記補正映像信号と、を互いに関連づけて格納し、前記対応映像信号および前記他の映像信号の一部を受け付けると、前記補正映像信号を、前記補正信号として出力する、請求の範囲第１１項に記載のカラー画像生成方法。
【請求項１３】
駆動信号を受け付けると当該駆動信号に対応する色の光を前記駆動信号に応じて変調して出力する液晶表示素子の駆動方法であって、
複数の色に対応する複数の映像信号と１対１で対応する複数の補正手段のそれぞれが、前記複数の映像信号のうち、自己に対応する対応映像信号を受け付けると、前記対応映像信号を補正した補正信号を出力し、
前記補正信号を、１つずつ順番に出力し、
前記複数の補正手段の少なくとも１つが、前記対応映像信号と、当該対応映像信号を補正した補正信号の直前または直後に出力される他の補正信号の元になった他の映像信号の一部と、を受け付けると、前記対応映像信号を前記他の映像信号の一部に基づいて補正した補正映像信号を、前記補正信号として出力する、液晶表示素子の駆動方法。
【請求項１４】
前記複数の補正手段のうちの少なくとも１つは、前記対応映像信号および前記他の映像信号の一部と、前記補正映像信号と、を互いに関連づけて格納し、前記対応映像信号および前記他の映像信号の一部を受け付けると、前記補正映像信号を、前記補正信号として出力する、請求の範囲第１３項に記載の液晶表示素子の駆動方法。
【発明の詳細な説明】
【技術分野】
【０００１】
本発明は、液晶表示装置、液晶表示素子の駆動回路、カラー画像生成方法、および、液晶表示素子の駆動方法に関する。
【背景技術】
【０００２】
プロジェクタまたは直視型のディスプレイなどの液晶表示装置でのカラー表示方式の１つとして、FSC（Field  Sequential  Color：フィールドシーケンシャルカラー）方式が知られている。【０００３】
FSC方式では、異なる色の光が、１つのモノクロの液晶表示素子に順次照射されると共に、光（色）の切り替えに同期して、液晶表示素子の表示画像が、照射光の色に応じた画像に切り替えられる。【０００４】
以下、FSC方式について説明する。【０００５】
FSC方式では、１画面を構成する１フレームの期間が、照射光の色に応じた複数のカラーフィールドの期間に分割される。【０００６】
カラーフィールドごとに、カラーフィールドの色に対応する画像が、１つのモノクロの液晶表示素子に形成され、かつ、カラーフィールドの色を有する光が、その液晶表示素子に照射される。【０００７】
液晶表示素子に照射された光は、液晶表示素子に形成された画像によって変調され出力される。【０００８】
FSC方式では、フィールドの切り替えタイミングが１フレームの期間よりも短いため、液晶表示素子から順次出力される複数の変調された光は、人間の目には、１つのカラー画像として認識される。【０００９】
FSC方式では、１フレームよりも短い期間である１フィールドごとに、液晶表示素子の表示画像を切り替える必要がある。このため、液晶表示素子には、速い応答が必要とされる。【００１０】
多くの液晶表示装置は、次のような特徴を有する。
［１］液晶表示素子は、光学的応答（光の透過率の変化）が遅い。
［２］光の透過率の応答特性が、黒から白への変化と、白から黒への変化とで、異なる。
［３］光の透過率の応答特性が、波長によって異なる。【００１１】
特徴［１］は、動画品質を悪くする。【００１２】
また、特徴［１］は、FSC方式では、静止画であっても画質を悪くする場合が多い。FSC方式において、静止画であっても画質が悪くなる場合は、複数のカラーフィールドで、同一画素に印加される電圧のレベルが異なる場合であり、つまりは、無彩色でない色が表示される場合である。【００１３】
また、特徴［１］は、FSC方式では、原色の単色を表示する場合は、階調再現性が悪くなり、混色かつ有彩色を表示する場合は、色味が本来からずれてしまう、という不具合現象を生じる。【００１４】
図１は、特徴［１］に起因するFSC方式での不具合現象を説明するための説明図である。【００１５】
図１において、１フレーム（Frame）は、フィールドR（Field-R：赤色フィールド）、フィールドG（Field-G：緑色フィールド）、および、フィールドB（Field-B：青色フィールド）からなる３つのカラーフィールドに分割されている。【００１６】
画像データは、液晶表示素子の画素に対応づけることができる、R色（赤色）、G色（緑色）およびB色（青色）のそれぞれに対応する画像情報（映像情報）であり、階調を示すデータである。【００１７】
LCDの光透過率は、液晶表示素子における光の透過率を示す。【００１８】
R色LED光源点灯制御、G色LED光源点灯制御、および、G色LED光源点灯制御は、R色の光を発することができる  LED（Light  Emitting  Diode：発光ダイオード）と、G色の光を発することができる  LEDと、B色の光を発することができる  LEDと、を具備する光源（照明装置を構成する光源）を用いた、各色のLEDの発光制御である。【００１９】
なお、図１は、液晶表示素子（LCD）としてノーマリホワイト（電界を印加しないときに白を表示する構造）の液晶表示素子が用いられた例を示している。【００２０】
図１中の例（１）は、全面青色（Blue）の画像を表示する場合の動作例である。図１中の例（２）は、全面シアン色（Cyan）の画像を表示する場合の動作例である。【００２１】
図１に示すように、液晶の光の透過率応答が遅いため、以下の不具合現象が発生する。【００２２】
原色の単色が暗くなる（例（１）で、B色LED点灯時に、LCDの光透過率が低いことに起因する）。例（１）のａと例（２）のｂは、同じ設定階調レベル１００[%]であるが、光の透過率が異なってしまう。また、例（２）のｂと例（２）のｃは、同じ設定階調レベル１００[%]であるが、光の透過率が異なってしまう。【００２３】
例（１）および例（２）で示した特徴［１］に起因する不具合は、光の透過率が前フィールドの液晶状態に依存する、つまり、前フィールドの液晶状態が次フィールドの液晶状態に影響することにも起因する。【００２４】
次に、特徴［２］は、液晶の応答特性が印加電界によって異なることに起因する。【００２５】
例えば、TN（Twisted  Nematic）モード液晶の場合、印加電界を強めて液晶の向きを変化させるときと、印加電界を弱めて液晶の粘弾性によって液晶の向きを変化させるときとでは、後者の方が、液晶の応答特性が遅い。【００２６】
このため、液晶表示素子がノーマリホワイトの構造の場合、白から黒への変化より、黒から白への変化の方が遅い。このことから、液晶表示素子がノーマリホワイトの構造の場合、特に、暗い画像から明るい画像に変化する際に、動画品質が悪くなる。一方、液晶表示素子がノーマリブラックの構造の場合、特に明るい画像から暗い画像に変化する際に、動画品質が悪くなる。【００２７】
また、特徴［２］は、FSC方式では、静止画の品質も悪くする。【００２８】
例えば、FSC方式では、液晶表示素子がノーマリホワイトの場合は、原色の単色は明るくならず、液晶表示素子がノーマリブラックの場合は、原色単色の補色は白っぽくなる。また、FSC方式では、混色かつ有彩色の表示を行う場合、表示色によっては再現困難になってしまう。【００２９】
液晶表示素子には、  TNモード、  IPS（In-Plane  Switching）モード、  VA（Vertically  Aligned）モード、  OCB（Optically  Compensated  Bend）モード、といった液晶モードがある。いずれの場合でも、印加電界によって液晶の向き（ダイレクタ）を変えて複屈折の程度を制御し、液晶内を通過する光の偏光状態が変化させられる。【００３０】
偏光状態の変化の度合いは、光の波長に依存する。したがって、特徴［３］が生じる。特徴［３］が、色再現性をさらに悪化させる要因になる。【００３１】
液晶表示装置は、画素毎に液晶を制御する。画素を制御する回路は、多くの場合、マトリックス構造になっていて、各画素を、順次に制御する。よって、ある画素に注目すると、その画素は、所定の周期の一部の期間しかアクセスされない。その一部の期間に、液晶を制御する電圧Ｖが、画素に印加される。【００３２】
画素は、容量成分Ｃを有する。このため、画素に制御電圧Ｖを印加することによって、画素電極に、制御電圧Ｖに応じた電荷Ｑが供給される。【００３３】
一般的に次式が成り立つ。【００３４】
Ｑ＝Ｃ×Ｖ  ．．．式［１］
画素の容量Ｃは、画素の液晶の向き（ダイレクタ）によって変化するという性質を持つ。【００３５】
もし、液晶の向きの変化が落ち着くまで電圧をかけ続けられる場合、容量が変化すると電荷が供給される。【００３６】
ところが、画素にアクセスした期間内に液晶の向きの変化が収束しない場合、電荷の供給が途絶えた後の液晶の向きの変化によって、容量が変化する。したがって、画素内の液晶にかかる電圧が、アクセス時点に印加した電圧から変化してしまう。【００３７】
一回のアクセスで、所望の電荷量を供給できないという課題を解決する方法として、いわゆる、オーバードライブ、という方法が知られている（特許文献１参照）。【００３８】
オーバードライブは、ダイレクタを、どの状態からどの状態へ変化させるかに応じて、所望のダイレクタの状態になったときの電圧とは異なる過度の電圧を画素に印加することによって、所望の電荷量を画素に供給する方法である。【００３９】
また、オーバードライブは、液晶の粘弾性による応答の遅さ、つまり、特徴［１］に起因する不具合を改善するという側面もある。【００４０】
特許文献２には、FSC方式でカラー画像の生成を行い、かつ、色ごとに設けられたレベル補正回路が自回路に対応する色の映像信号を補正する、液晶表示装置が記載されている。【００４１】
このレベル補正回路は、光の透過率の応答特性が波長によって異なること、つまり、特徴［３］を補正するために、自己に対応する色の映像信号を補正する。【００４２】
具体的には、特許文献２に記載の液晶表示装置は、レベル補正回路３２Ｒ、３２Ｇおよび３２Ｂを有する。レベル補正回路３２Ｒは、赤色用映像信号を受け付け、赤色用映像信号を、赤色の応答特性に応じて補正する。レベル補正回路３２Ｇは、緑色用映像信号を受け付け、緑色用映像信号を、緑色の応答特性に応じて補正する。レベル補正回路３２Ｂは、青色用映像信号を受け付け、青色用映像信号を、青色の応答特性に応じて補正する。【００４３】
特許文献３には、FSC方式でカラー画像の生成を行い、かつ、一種のオーバードライブを行う液晶表示装置が記載されている。【００４４】
この液晶表示装置は、データの一部が削除されていないGおよびBの画像データを用いてRの画像データを補正し、データの一部が削除されていないBおよびRの画像データを用いてGの画像データを補正し、データの一部が削除されていないRおよびGの画像データを用いてBの画像データを補正する。
【特許文献１】特開２００２−３５１４０９号公報
【特許文献２】特開２００２−１４８５８４号公報
【特許文献３】特開２００６−２２７４５８号公報
【発明の開示】
【発明が解決しようとする課題】
【００４５】
特許文献１には、FSC方式の液晶表示装置でオーバードライブを用いる旨の記載はない。【００４６】
FSC方式の液晶表示装置で特許文献１に示されたようなオーバードライブを適用する場合、ある画素に注目すると、その画素が表示する色は一つではないため、色の切り替え周期であるフィールドの切り替え時の液晶ダイレクタの状態遷移に応じて、オーバードライブが行われることになる。【００４７】
したがって、FSC方式の液晶表示装置でオーバードライブを適用する場合、ある色の映像信号を補正するために、他の色の映像信号を用いる必要がある。【００４８】
このため、特許文献２に記載のレベル補正回路、具体的には、自回路に対応する色の映像信号のみを受け付け、その色の映像信号を補正するレベル補正回路は、FSC方式の液晶表示装置では、オーバードライブ用の補正回路として使用できない。【００４９】
特許文献３に記載の液晶表示装置は、FSC方式でカラー画像の生成を行い、また、各色の画像データを、データの一部が削除されていない他の色の画像データを用いて補正している。【００５０】
しかしながら、特許文献３に記載の液晶表示装置は、１つの色の画像データを、データの一部が削除されていない他の色の画像データを用いて補正するため、補正の際に用いるデータ量が多いという課題があった。【００５１】
なお、特許文献１および２には、上記課題が生じるための前提となる技術、具体的には、FSC方式でカラー画像の生成を行い、かつ、１つの色の画像データを、他の色の画像データを用いて補正する技術が、記載されていない。【００５２】
このため、特許文献１および２に記載の技術では、当然のことながら、上記課題、具体的には、１つの色の画像データを、データの一部が削除されていない他の色の画像データを用いて補正するため、補正の際に用いるデータ量が多いという課題は解決されていない。  
本発明の目的は、上述した課題を解決可能な、液晶表示装置、液晶表示素子の駆動回路、カラー画像生成方法、および、液晶表示素子の駆動方法を提供することにある。
【課題を解決するための手段】
【００５３】
本発明の液晶表示装置は、複数の色に対応する複数の映像信号と１対１で対応し、かつ、前記複数の映像信号のうち、自己に対応する対応映像信号を受け付けると、前記対応映像信号を補正した補正信号を出力する、複数の補正手段と、前記複数の補正手段のそれぞれから出力された補正信号を、１つずつ順番に出力する出力制御手段と、前記出力制御手段から前記補正信号が出力されるごとに、当該補正信号の元になった映像信号に対応する色の光を発する照射手段と、前記出力制御手段から前記補正信号が出力されるごとに、前記照射手段から発せられた光を、当該補正信号に応じて変調して出力する液晶表示素子と、を含み、前記複数の補正手段の少なくとも１つは、前記対応映像信号と、当該対応映像信号を補正した補正信号の直前または直後に前記出力制御手段から出力される他の補正信号の元になった他の映像信号の一部と、を受け付けると、前記対応映像信号を前記他の映像信号の一部に基づいて補正した補正映像信号を、前記補正信号として出力する。【００５４】
本発明の液晶表示素子の駆動回路は、駆動信号を受け付けると当該駆動信号に対応する色の光を前記駆動信号に応じて変調して出力する液晶表示素子の駆動回路であって、複数の色に対応する複数の映像信号と１対１で対応し、かつ、前記複数の映像信号のうち、自己に対応する対応映像信号を受け付けると、前記対応映像信号を補正した補正信号を出力する、複数の補正手段と、前記複数の補正手段のそれぞれから出力された補正信号を、１つずつ順番に、前記駆動信号として前記液晶表示素子に出力する出力制御手段と、を含み、前記複数の補正手段の少なくとも１つは、前記対応映像信号と、当該対応映像信号を補正した補正信号の直前または直後に前記出力制御手段から出力される他の補正信号の元になった他の映像信号の一部と、を受け付けると、前記対応映像信号を前記他の映像信号の一部に基づいて補正した補正映像信号を、前記補正信号として出力する。【００５５】
本発明のカラー画像生成方法は、複数の映像信号に対応する複数の色の画像を順番に表示することにより、カラー画像を表示するＦＳＣ方式の液晶表示装置が行うカラー画像生成方法であって、前記複数の映像信号と１対１で対応する複数の補正手段のそれぞれが、前記複数の映像信号のうち、自己に対応する対応映像信号を受け付けると、前記対応映像信号を補正した補正信号を出力し、前記補正信号を、１つずつ順番に出力し、前記補正信号が１つずつ順番に出力されるごとに、当該補正信号の元になった映像信号に対応する色の光を発し、前記補正信号が１つずつ順番に出力されるごとに、前記光を、当該補正信号に応じて変調して出力し、前記複数の補正手段の少なくとも１つが、前記対応映像信号と、当該対応映像信号を補正した補正信号の直前または直後に出力される他の補正信号の元になった他の映像信号の一部と、を受け付けると、前記対応映像信号を前記他の映像信号の一部に基づいて補正した補正映像信号を、前記補正信号として出力する。【００５６】
本発明の液晶表示素子の駆動方法は、駆動信号を受け付けると当該駆動信号に対応する色の光を前記駆動信号に応じて変調して出力する液晶表示素子の駆動方法であって、複数の色に対応する複数の映像信号と１対１で対応する複数の補正手段のそれぞれが、前記複数の映像信号のうち、自己に対応する対応映像信号を受け付けると、前記対応映像信号を補正した補正信号を出力し、前記補正信号を、１つずつ順番に出力し、前記複数の補正手段の少なくとも１つが、前記対応映像信号と、当該対応映像信号を補正した補正信号の直前または直後に出力される他の補正信号の元になった他の映像信号の一部と、を受け付けると、前記対応映像信号を前記他の映像信号の一部に基づいて補正した補正映像信号を、前記補正信号として出力する。
【発明の効果】
【００５７】
本発明によれば、FSC方式でオーバードライブを行うために複数の色に対応する映像信号の補正信号を生成する際に使用するデータ量を少なくすることが可能になり、回路規模を低減することができる。
【図面の簡単な説明】
【００５８】
【図１】FSC方式での不具合現象を説明するための説明図である。
【図２】本発明の第１の実施の形態の液晶表示装置１を示したブロック図である。
【図３】色補正部３の一例を示したブロック図である。
【図４】図２に示した色補正部３の他の例である色補正部３Ａを示したブロック図である。
【図５】図２に示した色補正部３のさらに他の例である色補正部３Ｂを示したブロック図である。
【図６】図２に示した色補正部３のさらに他の例である色補正部３Ｃを示したブロック図である。
【図７】本発明の第２の実施の形態の液晶表示装置１Ａを示したブロック図である。
【図８】本発明の第３の実施の形態の要部を示したブロック図である。
【図９】本発明の第４の実施の形態の要部を示したブロック図である。
【図１０】本発明の第５の実施の形態の要部を示したブロック図である。
【符号の説明】
【００５９】
１、１Ａ  液晶表示装置
２  液晶表示素子
３、３Ａ、３Ｂ、３Ｃ、３１、３２、３３、３４  色補正部
３Ｒ１、３Ｒ２、３Ｒ３、３Ｒ４、３Ｒ５、３Ｒ６  R色補正LUT格納部
３Ｇ１、３Ｇ２、３Ｇ３、３Ｇ４、３Ｇ５、３Ｇ６  G色補正LUT格納部
３Ｂ１、３Ｂ２、３Ｂ３、３Ｂ４、３Ｂ５、３Ｂ６  B色補正LUT格納部
３Ｍ４  M色補正LUT格納部
３Ｙ４  Y色補正LUT格納部
３４ａ  フレームバッファ
４  データ並べ替え部
４ａ  フレームメモリ
４ｂ  メモリ制御部
５  照射部
５ａ、５ａＡ  照明部
５ｂ  タイミング制御部
６  出力制御部
７  Ｖ−Ｔ特性補正部
８  色変換部
【発明を実施するための最良の形態】
【００６０】
以下、本発明の実施の形態について図面を参照して詳細に説明する。【００６１】
［第１の実施の形態］
図２は、本発明の第１の実施の形態の液晶表示装置１を示したブロック図である。【００６２】
図２において、液晶表示装置１は、液晶表示素子２と、色補正部３と、データ並べ替え部４と、照射部５と、を含む。データ並べ替え部４は、フレームメモリ（Frame  Memory）４ａと、メモリ制御部４ｂと、を含む。照射部５は、照明部５ａと、タイミング制御部５ｂと、を含む。【００６３】
液晶表示装置１は、複数の色のそれぞれに１対１で対応する複数の映像信号（以下、単に「複数の映像信号」と称する）を受け付ける。【００６４】
液晶表示装置１は、複数の映像信号に対応する複数の色の画像を順番に表示することにより、カラー画像を表示するＦＳＣ方式の液晶表示装置である。【００６５】
液晶表示素子２は、複数の画素を有する。液晶表示素子２は、駆動信号を受け付けると、複数の画素を用いて、その駆動信号に応じて、自己に照射された光を変調し、画像を形成する光を出力する。【００６６】
なお、液晶表示装置１がプロジェクタ（投写型表示装置）である場合、液晶表示素子２にて変調されて出力された光は、投写光学系（不図示）によって拡大され、スクリーン（不図示）に投写される。また、液晶表示装置１が直視型表示装置である場合、液晶表示素子２にて変調されて出力された光は、使用者の目に到達する。【００６７】
色補正部３は、  入力フレームの同期タイミングを示すタイミング信号に同期した複数の色の映像信号を入力し、複数の色のそれぞれに１対１で対応する複数の補正信号を出力する。【００６８】
本実施形態では、色補正部３は、１フレーム期間ごとに発生するタイミング信号を受け付けるたびに、複数の映像信号を受け付け、その複数の映像信号のそれぞれに１対１で対応する複数の補正信号を出力する。【００６９】
本実施形態では、色補正部３は、複数の映像信号として、赤色に対応するR色映像信号（映像信号（R））と、緑色に対応するG色映像信号（映像信号（G））と、青色に対応するB色映像信号（映像信号（B））と、を受け付ける。【００７０】
R色映像信号とG色映像信号とB色映像信号のそれぞれは、８bit（ビット）の信号である。なお、R色映像信号とG色映像信号とB色映像信号のそれぞれのbit数は、８bitに限らず適宜変更可能である。【００７１】
また、色補正部３は、複数の補正信号として、赤色に対応するR色補正信号と、緑色に対応するG色補正信号と、青色に対応するB色補正信号と、を出力する。色補正部３は、R色映像信号を元にしてR色補正信号を生成し、G色映像信号を元にしてG色補正信号を生成し、B色映像信号を元にしてB色補正信号を生成する。【００７２】
R色補正信号とG色補正信号とB色補正信号のそれぞれは、１０bitの信号である。なお、R色補正信号とG色補正信号とB色補正信号のそれぞれのbit数は、１０bitに限らず適宜変更可能である。【００７３】
色補正部３の働きは、FSC方式においてオーバードライブを適用することと、液晶表示素子２における印加電圧（駆動電圧）と光の透過率との関係を表すＶ−Ｔ特性に基づいて、印加電圧（駆動電圧）の補正を行うこと、の２つである。【００７４】
本実施形態では、非線形なＶ−Ｔ特性に基づく補正を行いつつ、階調再現性を低下させないようにするために、色補正部３の出力bit数は、色補正部３の入力bit数よりも多くしてある。【００７５】
データ並べ替え部４は、一般的に出力制御手段と呼ぶことができる。【００７６】
データ並べ替え部４は、色補正部３が出力した複数の補正信号を、１つずつ順番に、駆動信号として、液晶表示素子２に出力する。【００７７】
本実施形態では、データ並べ替え部４は、R色補正信号とG色補正信号とB色補正信号を、R色補正信号、G色補正信号、B色補正信号の順番で、駆動信号として、液晶表示素子２に出力する。なお、この順番は適宜変更可能である。【００７８】
フレームメモリ４ａは、映像信号として機能する複数の補正信号を並べ替えるためのバッファとして用いられる。【００７９】
メモリ制御部４ｂは、色補正部３が出力した複数の補正信号を、フレームメモリ４ａ上で、液晶表示素子２への出力順に並べ替える。【００８０】
本実施形態では、メモリ制御部４ｂは、R色補正信号とG色補正信号とB色補正信号とを、フレームメモリ４ａ上で、R色補正信号、G色補正信号、B色補正信号の順に並べ替える。【００８１】
メモリ制御部４ｂは、フレームメモリ４ａ上の、R色補正信号、G色補正信号およびB色補正信号を、その並び順で、１つずつ順番に、駆動信号として、液晶表示素子２に出力する。【００８２】
照射部５は、一般的に照射手段と呼ぶことができる。【００８３】
照射部５は、色補正部３から出力された複数の補正信号のいずれかが、駆動信号として液晶表示素子２へ出力されるごとに、液晶表示素子２へ出力された補正信号の元になった映像信号に対応する色の光を、液晶表示素子２に照射する。ただし、照射部５は、光を照射するタイミング（期間と位相）を、液晶表示素子２に駆動信号が出力されてからの光透過率の応答の程度を考慮して調整する。【００８４】
照明部５ａは、赤色の光を発するR色LEDと、緑色の光を発するG色LEDと、青色の光を発するB色LEDと、を含む。【００８５】
タイミング制御部５ｂは、入力フレームの同期タイミング（以下「入力フレーム同期タイミング」と称する）を示すタイミング信号を入力し、１フレーム期間を３つのカラーフィールド期間に分割した出力フィールドの同期タイミング（以下「出力フィールド同期タイミング」と称する）を示すタイミング信号を生成する。なお、本実施形態では、入力フレーム同期タイミングと出力フィールド同期タイミングとは同期しているが、非同期であってもかまわない。【００８６】
データ並べ替え部４では、タイミング制御部５ｂからの２種類（不図示）のタイミング信号（入力フレーム同期タイミングを示すタイミング信号と出力フィールド同期タイミングを示すタイミング信号）によって、メモリ制御部４ｂは、入力フレーム同期タイミングに同期してフレームメモリ４ａへの書込みを制御し、出力フィールド同期タイミングに同期してフレームメモリ４ａからの読出しを制御する。そして、メモリ制御部４ｂは、フレームメモリ４ａ上の、R色補正信号、G色補正信号およびB色補正信号を、その並び順で、１つずつ順番に、駆動信号として、液晶表示素子２に出力する。【００８７】
液晶表示素子２は、タイミング制御部５ｂからのタイミング信号によって、出力フィールド同期タイミングに同期してデータ並べ替え部４から順次出力されたR色補正信号、G色補正信号およびB色補正信号を順次入力する。そして、液晶表示素子２は、色毎に順次に各色補正信号に応じて各画素の液晶の向き（ダイレクタ）を制御し、色毎に順次に照射された各色光を変調して、各色の画像を形成する光を順次生成する。【００８８】
照明部５ａは、タイミング制御部５ｂからのタイミング信号によって、出力フィールド同期タイミングに同期して、R色LEDと、G色LEDと、B色LEDとを、この順番で１つずつ点灯する。【００８９】
このため、本実施形態では、液晶表示装置１は、以下のように動作する。【００９０】
液晶表示素子２がR色補正信号に応じた画像を形成している際に、照明部５ａが、R色LEDを点灯して液晶表示素子２をR色の光で照射する。【００９１】
その後、液晶表示素子２がG色補正信号に応じた画像を形成している際に、照明部５ａが、G色LEDを点灯して液晶表示素子２をG色の光で照射する。【００９２】
その後、液晶表示素子２がB色補正信号に応じた画像を形成している際に、照明部５ａが、B色LEDを点灯して液晶表示素子２をB色の光で照射する。【００９３】
図３は、色補正部３の一例を示したブロック図である。【００９４】
図３において、色補正部３は、入力bit数が２４bit、出力bit数が３０bit（RGB各１０bit）である。【００９５】
色補正部３は、R色補正LUT（Look-up  Table、参照テーブル）格納部３Ｒ１と、G色補正LUT格納部３Ｇ１と、B色補正LUT格納部３Ｂ１と、を含む。【００９６】
R色補正LUT格納部３Ｒ１とG色補正LUT格納部３Ｇ１とB色補正LUT格納部３Ｂ１とのそれぞれは、一般的に補正手段または格納手段と呼ぶことができる。このため、色補正部３は、複数の補正手段（格納手段）を有することになる。【００９７】
本実施形態では、R色補正LUT格納部３Ｒ１とG色補正LUT格納部３Ｇ１とB色補正LUT格納部３Ｂ１とのそれぞれは、入力bit数が１２bitであり、出力bit数が１０bitである。【００９８】
R色補正LUT格納部３Ｒ１は、R色映像信号と１対１で対応する。【００９９】
R色補正LUT格納部３Ｒ１は、複数の映像信号のうち、自己に対応するR色映像信号（対応映像信号）と、B色映像信号（他の映像信号）の少なくとも一部と、を受け付けると、R色映像信号をB色映像信号の少なくとも一部に基づいて補正したR色補正信号を出力する。【０１００】
なお、B色映像信号は、R色映像信号を補正したR色補正信号の直前に、データ並べ替え部４から出力されるB色補正信号（他の補正信号）の元になった映像信号である。【０１０１】
本実施形態では、R色補正LUT格納部３Ｒ１は、B色映像信号の上位４bitと、R色映像信号の全８bitと、を入力して、１０bitのR色補正信号を出力する。【０１０２】
例えば、R色補正LUT格納部３Ｒ１は、B色映像信号の上位４bitおよびR色映像信号の全８bitと、R色映像信号の全８bitをB色映像信号の上位４bitに基づいて補正したR色補正映像信号と、を互いに関連づけて格納するLUTを格納する。【０１０３】
R色補正LUT格納部３Ｒ１は、B色映像信号の上位４bitおよびR色映像信号の全８bitを受け付けると、B色映像信号の上位４bitおよびR色映像信号の全８bitに関連づけられたR色補正映像信号を、R色補正信号として出力する。【０１０４】
ここで、R色補正映像信号の設定方法の一例を説明する。【０１０５】
色再現性は、液晶ダイレクタが所望の状態にいかに速く移行するかによるが、液晶ダイレクタの変化は遅いため、液晶ダイレクタの制御直前の状態がどうであるかも影響する。【０１０６】
したがって、R色再現性は、R色の直前の液晶ダイレクタの状態に関係する前フィールドのB色映像信号を用いることで改善することができる。【０１０７】
例えば、B色映像信号の階調レベルが１０%、R色映像信号の階調レベルが５０%の状況で、R色補正映像信号を設定する際、R色補正映像信号の階調レベルを、B色映像信号の階調レベル１０%に基づいて、R色映像信号の階調レベル５０%よりも過度の７０%に設定すれば、液晶ダイレクタの状態を、より速く所望の状態に近づけることができる。【０１０８】
よって、B色映像信号の階調レベルが１０%、R色映像信号の階調レベルが５０%の状況のときに、階調レベルが７０%に設定されたR色補正映像信号が出力されるように、R色補正LUT格納部３Ｒ１が設定されれば、FSC方式において、オーバードライブを適用することができる。【０１０９】
また、例えば、B色映像信号の階調レベルが９０%、R色映像信号の階調レベルが５０%の状況で、R色補正映像信号を設定する際、R色補正映像信号の階調レベルを、B色映像信号の階調レベル９０%からみて、R色映像信号の階調レベル５０%よりも過度のレベルの４５%に設定すれば、液晶ダイレクタの状態を、より速く所望の状態に近づけることができる。【０１１０】
よって、B色映像信号の階調レベルが９０%、R色映像信号の階調レベルが５０%の状況のときに、階調レベルが４５%に設定されたR色補正映像信号が出力されるように、R色補正LUT格納部３Ｒ１が設定されれば、FSC方式において、オーバードライブを適用することができる。【０１１１】
なお、ノーマリホワイト構造の液晶表示素子の場合、光透過率の応答は、黒（階調レベル小）から白（階調レベル大）への変化より白から黒への変化の方が速いなど、液晶の状態の履歴によって応答速度が異なるので、このことを考慮してオーバードライブの程度は調節される。【０１１２】
本実施形態では、B色映像信号の階調レベルとR色映像信号の階調レベルとの関係に基づいて、R色映像信号の階調レベルを補正することによって、オーバードライブを実行するためのR色補正映像信号が設定され、そのR色補正映像信号が、R色補正LUT格納部３Ｒ１に格納される。【０１１３】
なお、補正の際に、前フィールドの色の映像信号のbit数を削減することは、本実施形態の１つの特徴である。この特徴は、前フィールドの色の映像信号の影響の精度は、自色の映像信号の影響の精度よりも粗い、という現象を考慮して得られたものである。【０１１４】
このため、補正の際に、前フィールドの色の映像信号のbit数を削減でき、補正に必要な情報量を少なくすることが可能になる。【０１１５】
G色補正LUT格納部３Ｇ１は、G色映像信号と１対１で対応する。【０１１６】
なお、G色補正LUT格納部３Ｇ１についての詳しい説明は、上述したR色補正LUT格納部３Ｒ１の説明のうち、「R色補正LUT格納部３Ｒ１」を「G色補正LUT格納部３Ｇ１」に読み替え、対応映像信号を「R色映像信号」から「G色映像信号」に読み替え、他の映像信号を「B色映像信号」から「R色映像信号」に読み替え、「R色補正信号」を「G色補正信号」に読み替え、「R色補正映像信号」を「G色補正映像信号」に読み替えることによって行うことができる。【０１１７】
B色補正LUT格納部３Ｂ１は、B色映像信号と１対１で対応する。【０１１８】
なお、B色補正LUT格納部３Ｂ１についての詳しい説明は、上述したR色補正LUT格納部３Ｒ１の説明のうち、「R色補正LUT格納部３Ｒ１」を「B色補正LUT格納部３Ｂ１」に読み替え、対応映像信号を「R色映像信号」から「B色映像信号」に読み替え、他の映像信号を「B色映像信号」から「G色映像信号」に読み替え、「R色補正信号」を「B色補正信号」に読み替え、「R色補正映像信号」を「B色補正映像信号」に読み替えることによって行うことができる。【０１１９】
なお、各LUT格納部３Ｒ１、３Ｇ１および３Ｂ１をRAM（Random  Access  Memory）を用いて構成する場合、入力される映像信号の計１２bitをRAMのアドレスとし、RAM内のデータを、補正映像信号１０bitとする。【０１２０】
RAMに補正映像信号を保存することによって、入力映像信号に応じて補正された対応映像信号である補正信号を出力することができる。【０１２１】
図３に示す例では、色補正部３のメモリサイズは、(２^１２)×１０bit×３＝１２０kbit（なお、１kbit＝(２^１０)bitとする）となり、実用的なサイズまで小さくできる。【０１２２】
一方、例えば、色補正部３の中に３つのLUT格納部を設けない場合、具体的には、色補正部３が、入力が２４bitであり出力が３０bitであるメモリである場合、色補正部３のメモリサイズは、(２^２４)×３０bit＝４８０Mbit（なお、１Mbit＝（２^２０）bitとする）となり、図３に示す例に比べてかなり大きい。【０１２３】
次に、動作を説明する。【０１２４】
色補正部３では、R色補正LUT格納部３Ｒ１は、入力フレーム同期タイミングを示すタイミング信号に同期して、B色映像信号の上位４bitおよびR色映像信号の全８bitを受け付け、B色映像信号の上位４bitおよびR色映像信号の全８bitに関連づけられたR色補正映像信号を、R色補正信号として、メモリ制御部４ｂに出力する。【０１２５】
また、G色補正LUT格納部３Ｇ１は、入力フレーム同期タイミングを示すタイミング信号に同期して、R色映像信号の上位４bitおよびG色映像信号の全８bitを受け付け、R色映像信号の上位４bitおよびG色映像信号の全８bitに関連づけられたG色補正映像信号を、G色補正信号として、メモリ制御部４ｂに出力する。【０１２６】
また、B色補正LUT格納部３Ｂ１は、入力フレーム同期タイミングを示すタイミング信号に同期して、G色映像信号の上位４bitおよびB色映像信号の全８bitを受け付け、G色映像信号の上位４bitおよびB色映像信号の全８bitに関連づけられたB色補正映像信号を、B色補正信号として、メモリ制御部４ｂに出力する。【０１２７】
メモリ制御部４ｂは、R色補正信号とG色補正信号とB色補正信号とを受け付けると、R色補正信号とG色補正信号とB色補正信号とを、フレームメモリ４ａ上で、R色補正信号、G色補正信号、B色補正信号の順に並べ替える。【０１２８】
一方、タイミング制御部５ｂは、入力フレーム同期タイミングを示すタイミング信号を入力し、１フレーム期間を３つのカラーフィールド期間に分割した出力フィールド同期タイミングを示すタイミング信号を生成し、データ並べ替え部４と、液晶表示素子２と、照明部５ａと、に出力する。【０１２９】
データ並べ替え部４では、タイミング制御部５ｂからの２種類のタイミング信号（入力フレーム同期タイミングを示すタイミング信号と出力フィールド同期タイミングを示すタイミング信号）によって、メモリ制御部４ｂは、入力フレーム同期タイミングに同期してフレームメモリ４ａへの書込みを制御し、出力フィールド同期タイミングに同期してフレームメモリ４ａからの読出しを制御する。そして、フレームメモリ４ａ上の、R色補正信号、G色補正信号およびB色補正信号を、その並び順で、１つずつ順番に、駆動信号として、液晶表示素子２に出力する。【０１３０】
液晶表示素子２は、タイミング制御部５ｂからのタイミング信号によって、出力フィールド同期タイミングに同期してデータ並べ替え部４から順次出力されたR色補正信号、G色補正信号およびB色補正信号を入力する。そして、液晶表示素子２は、色毎に順次に各色補正信号に応じて各画素の液晶の向き（ダイレクタ）を制御し、色毎に順次に照射された各色光を変調して、各色の画像を形成する光を順次生成する。【０１３１】
照明部５ａは、タイミング制御部５ｂからのタイミング信号によって、出力フィールド同期タイミングに同期して、R色LEDと、G色LEDと、B色LEDとを、この順番で１つずつ点灯する。【０１３２】
このため、本実施形態では、液晶表示素子２がR色補正信号に応じた画像を形成している際に、照明部５ａがR色LEDを点灯して液晶表示素子２をR色の光で照射し、液晶表示素子２がG色補正信号に応じた画像を形成している際に、照明部５ａがG色LEDを点灯して液晶表示素子２をG色の光で照射し、液晶表示素子２がB色補正信号に応じた画像を形成している際に、照明部５ａがB色LEDを点灯して液晶表示素子２をB色の光で照射する。【０１３３】
本実施形態では、R色補正LUT格納部３Ｒ１、G色補正LUT格納部３Ｇ１およびB色補正LUT格納部３Ｂ１のそれぞれは、自己に対応する対応映像信号と、その対応映像信号を補正した補正信号の直前または直後にデータ並べ替え部４から出力される他の補正信号の元になった他の映像信号の少なくとも一部と、を受け付けると、対応映像信号を他の映像信号の少なくとも一部に基づいて補正した補正信号を出力する。【０１３４】
このため、オーバードライブ用の駆動信号として機能する補正信号を、並列的に出力することが可能になる。よって、FSC方式でオーバードライブを行うために補正信号を生成する際に、複数の色に対応する映像信号を受け付けてから、複数の補正信号を出力するまでの時間を短くすることが可能になる。【０１３５】
液晶表示素子２は、補正信号を順番に１つずつ受け付け、受け付けた補正信号に応じた画像を形成する。【０１３６】
このため、FSC方式の液晶表示装置においてオーバードライブを実現できる。そして、オーバードライブの実現により、FSC方式の液晶表示装置における、動画質の改善、原色の単色の階調再現性の改善、混色かつ有彩色の色再現性を改善することが可能になる。【０１３７】
本実施形態では、R色補正LUT格納部３Ｒ１、G色補正LUT格納部３Ｇ１およびB色補正LUT格納部３Ｂ１の少なくとも１つは、対応映像信号と、他の映像信号の一部（データの所定部分が削除された他の映像信号）と、を受け付けると、対応映像信号を他の映像信号の一部に基づいて補正した補正信号（補正映像信号）を出力する。【０１３８】
このため、データが削除されていない他の映像信号を入力とした場合に比べて、他の映像信号のbit数を削減でき、補正の際に用いるデータ量を少なくすることが可能になる。【０１３９】
本実施形態では、R色補正LUT格納部３Ｒ１、G色補正LUT格納部３Ｇ１およびB色補正LUT格納部３Ｂ１のそれぞれは、対応映像信号および他の映像信号の一部と、対応映像信号を他の映像信号の一部に基づいて補正した補正映像信号と、を互いに関連づけて格納し、対応映像信号および他の映像信号の一部を受け付けると、対応映像信号および他の映像信号の一部に関連づけられた補正映像信号を、補正信号として出力する。【０１４０】
この場合、R色補正LUT格納部３Ｒ１、G色補正LUT格納部３Ｇ１およびB色補正LUT格納部３Ｂ１のそれぞれは、他の映像信号の全てではなく、他の映像信号の一部を入力とする。【０１４１】
このため、他の映像信号の全てを入力とした場合に比べて、他の映像信号のbit数を削減でき、R色補正LUT格納部３Ｒ１、G色補正LUT格納部３Ｇ１およびB色補正LUT格納部３Ｂ１のそれぞれのメモリサイズを小さくすることが可能になる。よって、液晶表示装置１の回路規模を小さくすることができる。【０１４２】
なお、本実施形態において、色補正部３は、図３に示した構成に限らず適宜変更可能である。例えば、色補正部３として、図４に示した色補正部３Ａを用いてもよい。【０１４３】
図４は、図２に示した色補正部３の他の例である色補正部３Ａを示したブロック図である。【０１４４】
図４において、色補正部３Ａは、入力bit数が２４bit、出力bit数が３０bit（RGB各１０bit）である。【０１４５】
色補正部３Ａは、R色補正LUT格納部３Ｒ２と、G色補正LUT格納部３Ｇ２と、B色補正LUT格納部３Ｂ２と、を含む。【０１４６】
R色補正LUT格納部３Ｒ２とG色補正LUT格納部３Ｇ２とB色補正LUT格納部３Ｂ２とのそれぞれは、一般的に補正手段または格納手段と呼ぶことができる。このため、色補正部３Ａは、複数の補正手段（格納手段）を有することになる。【０１４７】
R色補正LUT格納部３Ｒ２とG色補正LUT格納部３Ｇ２とB色補正LUT格納部３Ｂ２とのそれぞれは、入力bit数が１１bit、出力bit数が１０bitである。【０１４８】
R色補正LUT格納部３Ｒ２は、R色映像信号と１対１で対応する。【０１４９】
R色補正LUT格納部３Ｒ２は、複数の映像信号のうち、自己に対応するR色映像信号と、G色映像信号の少なくとも一部と、を受け付けると、R色映像信号をG色映像信号の少なくとも一部に基づいて補正したR色補正信号を出力する。【０１５０】
なお、G色映像信号は、R色映像信号を補正したR色補正信号の直後に、データ並べ替え部４から出力されるG色補正信号（他の補正信号）の元になった映像信号である。【０１５１】
R色補正LUT格納部３Ｒ２は、G色映像信号の上位３bitと、R色映像信号の全８bitと、を入力して、１０bitのR色補正信号を出力する。【０１５２】
例えば、R色補正LUT格納部３Ｒ２は、G色映像信号の上位３bitおよびR色映像信号の全８bitと、R色映像信号の全８bitをG色映像信号の上位３bitに基づいて補正したR色補正映像信号と、を互いに関連づけて格納するLUTを格納する。【０１５３】
R色補正LUT格納部３Ｒ２は、G色映像信号の上位３bitおよびR色映像信号の全８bitを受け付けると、G色映像信号の上位３bitおよびR色映像信号の全８bitに関連づけられたR色補正映像信号を、R色補正信号として出力する。【０１５４】
ここで、R色補正LUT格納部３Ｒ２内のR色補正映像信号の設定方法の一例を説明する。【０１５５】
液晶ダイレクタの変化が遅いために、自フィールドの液晶ダイレクタの状態が次フィールドの色再現性に影響する。【０１５６】
したがって、次フィールドのG色映像信号を用いて、R色映像信号を補正することによって、G色の再現性を改善することができる。【０１５７】
例えば、R色映像信号の階調レベルが５０%、G色映像信号の階調レベルが９０%の状況で、R色補正映像信号を設定する際、R色補正映像信号の階調レベルを、次色（G色）寄りのレベル７０%にすれば、次色の液晶ダイレクタの状態を、より速く所望の状態に近づけることができる。【０１５８】
よって、R色映像信号の階調レベルが５０%、G色映像信号の階調レベルが９０%の状況のときに、階調レベルが７０%に設定されたR色補正映像信号が出力されるように、R色補正LUT格納部３Ｒ１が設定されれば、FSC方式において、オーバードライブを適用することができる。【０１５９】
例えば、R色映像信号の階調レベルが５０%、G色映像信号の階調レベルが１０%の状況で、R色補正映像信号を設定する際、R色補正映像信号の階調レベルを、次色（G色）寄りのレベル４５%にすれば、次色の液晶ダイレクタの状態を、より速く所望の状態に近づけることができる。【０１６０】
よって、R色映像信号の階調レベルが５０%、G色映像信号の階調レベルが１０%の状況のときに、階調レベルが４５%に設定されたR色補正映像信号が出力されるように、R色補正LUT格納部３Ｒ１が設定されれば、FSC方式において、オーバードライブを適用することができる。【０１６１】
なお、ノーマリホワイト構造の液晶表示素子の場合、光透過率の応答は、黒（階調レベル小）から白（階調レベル大）への変化より白から黒への変化の方が速いなど、液晶の状態の履歴によって応答速度が異なるので、このことを考慮してオーバードライブの程度は調節される。【０１６２】
色補正部３Ａの場合、G色映像信号の階調レベルとR色映像信号の階調レベルとの関係に基づいて、R色映像信号の階調レベルを補正することによって、オーバードライブを実行するためのR色補正映像信号が設定され、R色補正LUT格納部３Ｒ１に格納される。【０１６３】
なお、次フィールドの色の映像信号の影響の精度は、自色の映像信号の影響の精度よりも粗い。このため、補正の際に、次フィールドの色の映像信号のbit数を削減することができる。よって、補正に必要な情報量を少なくすることが可能になる。【０１６４】
G色補正LUT格納部３Ｇ２は、G色映像信号と１対１で対応する。【０１６５】
なお、G色補正LUT格納部３Ｇ２についての詳しい説明は、上述したR色補正LUT格納部３Ｒ２の説明のうち、「R色補正LUT格納部３Ｒ２」を「G色補正LUT格納部３Ｇ２」に読み替え、対応映像信号を「R色映像信号」から「G色映像信号」に読み替え、他の映像信号を「G色映像信号」から「B色映像信号」に読み替え、「R色補正信号」を「G色補正信号」に読み替え、「R色補正映像信号」を「G色補正映像信号」に読み替えることによって行うことができる。【０１６６】
B色補正LUT格納部３Ｂ２は、B色映像信号と１対１で対応する。【０１６７】
なお、B色補正LUT格納部３Ｂ２についての詳しい説明は、上述したR色補正LUT格納部３Ｒ２の説明のうち、「R色補正LUT格納部３Ｒ２」を「B色補正LUT格納部３Ｂ２」に読み替え、対応映像信号を「R色映像信号」から「B色映像信号」に読み替え、他の映像信号を「G色映像信号」から「R色映像信号」に読み替え、「R色補正信号」を「B色補正信号」に読み替え、「R色補正映像信号」を「B色補正映像信号」に読み替えることによって行うことができる。【０１６８】
各LUT格納部３Ｒ２、３Ｇ２および３Ｂ３を、RAMを用いて構成する場合、入力される映像信号の計１１bitをRAMのアドレスとし、  RAMのデータを、補正映像信号１０bitとして出力する。【０１６９】
図４に示す例では、色補正部３Ａのメモリサイズは、(２^１１)×１０bit×３＝６０kbitとなり、実用的なサイズまで小さくできる。【０１７０】
なお、図３に示した構成、具体的には、前フィールドの色の映像信号を用いて自色の映像信号を補正する色補正部３は、自色の階調レベルが１００%または０%の場合は、液晶の応答の遅さを改善できない。【０１７１】
一方、図４に示した構成、具体的には、次フィールドの色の映像信号を用いて自色の映像信号を補正する色補正部３Ａは、次フィールドの色の階調レベルが１００%または０%の場合でも、液晶の応答の遅さを改善できる。【０１７２】
R色補正LUT格納部３Ｒ２、G色補正LUT格納部３Ｇ２およびB色補正LUT格納部３Ｂ２のそれぞれは、自己に対応する対応映像信号と、その対応映像信号を補正した補正信号の直前または直後にデータ並べ替え部４から出力される他の補正信号の元になった他の映像信号の少なくとも一部と、を受け付けると、対応映像信号を他の映像信号の少なくとも一部に基づいて補正した補正信号を出力する。【０１７３】
このため、オーバードライブ用の駆動信号として機能する補正信号を、並列的に出力することが可能になる。よって、FSC方式でオーバードライブを行うために補正信号を生成する際に、複数の色に対応する映像信号を受け付けてから、複数の補正信号を出力するまでの時間を短くすることが可能になる。【０１７４】
また、R色補正LUT格納部３Ｒ２、G色補正LUT格納部３Ｇ２およびB色補正LUT格納部３Ｂ２のそれぞれは、他の映像信号の全てではなく、他の映像信号の一部（データの所定部分が削除された他の映像信号）を入力とする。【０１７５】
このため、他の映像信号の全てを入力とした場合に比べて、他の映像信号のbit数を削減でき、R色補正LUT格納部３Ｒ２、G色補正LUT格納部３Ｇ２およびB色補正LUT格納部３Ｂ２のそれぞれのメモリサイズを小さくすることが可能になる。よって、液晶表示装置１の回路規模を小さくすることができる。【０１７６】
図５は、図２に示した色補正部３のさらに他の例である色補正部３Ｂを示したブロック図である。【０１７７】
図５に示す構成は、図３および図４に示す構成を組み合わせたようなものである。【０１７８】
図５において、色補正部３Ｂは、入力bit数が２４bit、出力bit数が３０bit（RGB各１０bit）である。【０１７９】
色補正部３Ｂは、R色補正LUT格納部３Ｒ３と、G色補正LUT格納部３Ｇ３と、B色補正LUT格納部３Ｂ３と、を含む。【０１８０】
R色補正LUT格納部３Ｒ３とG色補正LUT格納部３Ｇ３とB色補正LUT格納部３Ｂ３とのそれぞれは、一般的に補正手段または格納手段と呼ぶことができる。このため、色補正部３Ｂは、複数の補正手段（格納手段）を有することになる。【０１８１】
R色補正LUT格納部３Ｒ３とG色補正LUT格納部３Ｇ３とB色補正LUT格納部３Ｂ３とのそれぞれは、入力bit数が１５bit、出力bit数が１０bitである。【０１８２】
R色補正LUT格納部３Ｒ３は、R色映像信号と１対１で対応する。【０１８３】
R色補正LUT格納部３Ｒ３は、複数の映像信号のうち、自己に対応するR色映像信号と、B色映像信号の一部と、G色映像信号の一部と、を受け付けると、R色映像信号をB色映像信号の一部およびG色映像信号の一部に基づいて補正したR色補正信号を出力する。【０１８４】
本実施形態では、R色補正LUT格納部３Ｒ３は、B色映像信号の上位４bitと、R色映像信号の全８bitと、G色映像信号の上位３bitと、を入力して、１０bitのR色補正信号を出力する。【０１８５】
例えば、R色補正LUT格納部３Ｒ３は、B色映像信号の上位４bit、R色映像信号の全８bitおよびG色映像信号の上位３bitと、R色映像信号の全８bitをB色映像信号の上位４bitおよびG色映像信号の上位３bitに基づいて補正したR色映像補正信号と、を互いに関連づけて格納するLUTを格納する。【０１８６】
R色補正LUT格納部３Ｒ３は、B色映像信号の上位４bit、R色映像信号の全８bitおよびG色映像信号の上位３bitを受け付けると、B色映像信号の上位４bit、R色映像信号の全８bitおよびG色映像信号の上位３bitに関連づけられたR色補正映像信号を、R色補正信号として出力する。【０１８７】
なお、R色補正LUT格納部３Ｒ３内のR色映像補正信号は、前フィールドのB色映像信号と次フィールドのG色映像信号を参照することによってR色映像信号を補正するという方法で作成される。【０１８８】
なお、R色補正LUT格納部３Ｒ３内のR色映像補正信号は、前フィールドのB色映像信号と前々フィールドのG色映像信号を参照することによってR色映像信号を補正するという方法で作成されてもよい。【０１８９】
G色補正LUT格納部３Ｇ３は、G色映像信号と１対１で対応する。【０１９０】
なお、G色補正LUT格納部３Ｇ３についての詳しい説明は、上述したR色補正LUT格納部３Ｒ３の説明のうち、「R色補正LUT格納部３Ｒ３」を「G色補正LUT格納部３Ｇ３」に読み替え、対応映像信号を「R色映像信号」から「G色映像信号」に読み替え、他の映像信号を「B色映像信号」および「G色映像信号」から「R色映像信号」および「B色映像信号」に読み替え、「R色補正信号」を「G色補正信号」に読み替え、「R色補正映像信号」を「G色補正映像信号」に読み替えることによって行うことができる。【０１９１】
B色補正LUT格納部３Ｂ３は、B色映像信号と１対１で対応する。【０１９２】
なお、B色補正LUT格納部３Ｂ３についての詳しい説明は、上述したR色補正LUT格納部３Ｒ３の説明のうち、「R色補正LUT格納部３Ｒ３」を「B色補正LUT格納部３Ｂ３」に読み替え、対応映像信号を「R色映像信号」から「B色映像信号」に読み替え、他の映像信号を「B色映像信号」および「G色映像信号」から「G色映像信号」および「R色映像信号」に読み替え、「R色補正信号」を「B色補正信号」に読み替え、「R色補正映像信号」を「B色補正映像信号」に読み替えることによって行うことができる。【０１９３】
なお、各LUT格納部３Ｒ３、３Ｇ３および３Ｂ３を、RAMを用いて構成する場合、入力される映像信号の計１５bitをRAMのアドレスとし、  RAMのデータを、補正映像信号１０bitとして出力する。【０１９４】
図５に示す例では、色補正部３Ｂのメモリサイズは、（２^１５)×１０bit×３＝９６０kbitとなり、実用的なサイズまで小さくできる。【０１９５】
R色補正LUT格納部３Ｒ３、G色補正LUT格納部３Ｇ３およびB色補正LUT格納部３Ｂ３のそれぞれは、自己に対応する対応映像信号と、その対応映像信号を補正した補正信号の直前にデータ並べ替え部４から出力される他の補正信号の元になった他の映像信号の一部と、その対応映像信号を補正した補正信号の直後にデータ並べ替え部４から出力される他の補正信号の元になった他の映像信号の一部と、を受け付けると、対応映像信号をそれら他の映像信号の一部に基づいて補正した補正信号を出力する。【０１９６】
このため、オーバードライブ用の駆動信号として機能する補正信号を、並列的に出力することが可能になる。よって、FSC方式でオーバードライブを行うために補正信号を生成する際に、複数の色に対応する映像信号を受け付けてから、複数の補正信号を出力するまでの時間を短くすることが可能になる。【０１９７】
また、R色補正LUT格納部３Ｒ３、G色補正LUT格納部３Ｇ３およびB色補正LUT格納部３Ｂ３のそれぞれは、他の映像信号の全てではなく、他の映像信号の一部を入力とする。【０１９８】
このため、他の映像信号の全てを入力とした場合に比べて、他の映像信号のbit数を削減でき、R色補正LUT格納部３Ｒ３、G色補正LUT格納部３Ｇ３およびB色補正LUT格納部３Ｂ３のそれぞれのメモリサイズを小さくすることが可能になる。よって、液晶表示装置１の回路規模を小さくすることができる。【０１９９】
図６は、図２に示した色補正部３のさらに他の例である色補正部３Ｃを示したブロック図である。なお、図６において、図４または図５に示したものと同一構成のものには同一符号を付してある。【０２００】
色補正部３Ｃは、色ごとに、補正LUT格納部の構成を変えたものである。【０２０１】
液晶表示素子２は、光の透過率に波長依存性がある。液晶の粘弾性に起因する応答遅さを改善するために液晶層を薄くすると、同じ液晶ダイレクタの状態において、概して長波長側（R色側）の透過率が低下する。したがって、透過率の時間的応答特性も波長依存性をもつことになる。【０２０２】
色補正部３Ｃでは、透過率の時間的応答特性と波長依存性とを考慮して、補正LUT格納部の構成を色ごとに変えてある。【０２０３】
換言すると、色補正部３Ｃ内の、R色補正LUT格納部３Ｒ３とG色補正LUT格納部３Ｇ１とB色補正LUT格納部３Ｂ２のそれぞれでは、液晶表示素子２での色ごとの応答特性の違いに基づいて、他の映像信号の一部が設定されている。【０２０４】
図６において、色補正部３Ｃは、入力bit数が２４bit、出力bit数が３０bit（RGB各１０bit）である。【０２０５】
色補正部３Ｃは、R色補正LUT格納部３Ｒ３と、G色補正LUT格納部３Ｇ１と、B色補正LUT格納部３Ｂ２と、を含む。【０２０６】
R色補正LUT格納部３Ｒ３は、  B色映像信号の上位４bitと、R色映像信号の全８bitと、G色映像信号上位３bitと、を入力して、１０bitのR色補正信号を出力する。【０２０７】
つまり、R色補正LUT格納部３Ｒ３では、透過率応答が他の色（G色およびB色）よりも遅いR色の色再現性を改善するために、前フィールドのB色映像信号と前々フィールドのG色映像信号とを用いてR色映像信号を補正した信号が、R色補正信号として用いられる。【０２０８】
G色補正LUT格納部３Ｇ１は、  R色映像信号の上位４bitと、G色映像信号の全８bitと、を入力して、１０bitのG色補正信号を出力する。【０２０９】
つまり、G色補正LUT格納部３Ｇ１では、R色とG色とB色の中で透過率応答が中くらいのG色の色再現性を改善するために、前フィールドのR色映像信号を用いてG色映像信号を補正した信号が、G色補正信号として用いられる。【０２１０】
B色補正LUT格納部３Ｂ２は、  B色映像信号の全８bitと、R色映像信号の上位３bitを入力として用いることによって、B色補正映像信号を出力する。【０２１１】
つまり、B色補正LUT格納部３Ｂ２では、他の色（G色とB色）よりも透過率応答の遅いR色の色再現性を改善するために、次フィールドのR色映像信号を用いてB色映像信号を補正した信号が、B色補正信号として用いられる。【０２１２】
この場合、色補正部３Ｃ内の、R色補正LUT格納部３Ｒ３とG色補正LUT格納部３Ｇ１とB色補正LUT格納部３Ｂ２とのそれぞれでは、液晶表示素子２での色ごとの応答特性の違いに基づいて、対応映像信号を補正するために用いる映像信号（他の映像信号）の一部が設定されている。【０２１３】
このため、メモリサイズを削減しつつ、効果的に色再現性を改善することができる。【０２１４】
なお、図６に示す例では、色補正部３Ｃのメモリサイズは、((２^１５)＋(２^１２)＋(２^１１))×１０bit＝３８０kbit（なお、１kbit＝(２^１０)bitとする）となり、図５に示す例よりサイズを小さくできる。【０２１５】
［第２の実施の形態］
図７は、本発明の第２の実施の形態の液晶表示装置１Ａを示したブロック図である。図７において、図２に示したものと同一構成のものには同一符号を付してある。【０２１６】
液晶表示装置１Ａは、図２に示した液晶表示装置１と比較して、Ｖ−Ｔ特性補正部７が追加され、また、色補正部３の代わりに、出力bit数がRGB各８bitである色補正部３１が用いられ、また、データ並べ替え部４の出力bit数がRGB各８bitに変更されている。【０２１７】
液晶表示装置１Ａでは、色補正部３１として、図３に示した色補正部３（ただし、出力bit数が２４bit）が用いられているものとする。なお、色補正部３１は、図３に示した色補正部３に限らない。例えば、色補正部３１として、図４に示した色補正部３Ａ（ただし、出力bit数が２４bit）、図５に示した色補正部３Ｂ（ただし、出力bit数が２４bit）または、図６に示した色補正部３Ｃ（ただし、出力bit数が２４bit）が用いられてもよい。【０２１８】
データ並べ替え部４とＶ−Ｔ特性補正部７は、出力制御部６に含まれる。【０２１９】
出力制御部６は、一般的に出力制御手段または出力補正制御手段と呼ぶことができる。【０２２０】
出力制御部６は、色補正部３１内のR色補正LUT格納部３Ｒ１、G色補正LUT格納部３Ｇ１およびB色補正LUT格納部３Ｂ１のそれぞれから出力された補正信号（出力bit数が８bit）を受け付けると、その補正信号を、液晶表示素子２が有する駆動電圧と光の透過率との関係（Ｖ−Ｔ特性）に応じて補正した、特性補正信号を出力する。【０２２１】
出力制御部６は、補正信号の代わりに、特性補正信号を、１つずつ順番に、駆動信号として、液晶表示素子２に出力する。【０２２２】
データ並べ替え部４は、色補正部３１が出力した各８bitの補正信号（R色補正信号、G色補正信号、B色補正信号）を受け付けると、それらの補正信号を、１つずつ順番に、Ｖ−Ｔ特性補正部７に出力する。【０２２３】
Ｖ−Ｔ特性補正部７は、各８bitの補正信号を受け付けるごとに、その補正信号を液晶表示素子２が有する駆動電圧と光の透過率との関係（Ｖ−Ｔ特性）に応じて補正した特性補正信号を、駆動信号として、液晶表示素子２に出力する。【０２２４】
図２に示した液晶表示装置１では、色補正部３は、  FSC方式における色再現性および階調再現性を改善する役割、つまり、FSC方式においてオーバードライブを行うための補正を行う役割と、液晶表示素子２の印加電圧（駆動電圧）と光の透過率との関係を表すＶ−Ｔ特性に基づいて、印加電圧（駆動電圧）の補正を行う役割を担っている。【０２２５】
一方、図７に示した液晶表示装置１Ａでは、色補正部３１は、  FSC方式における色再現性および階調再現性を改善する役割、つまり、FSC方式においてオーバードライブを行うための補正を行う役割のみを担い、非線形なＶ−Ｔ特性に基づき印加電圧（駆動電圧）を補正する役割は、Ｖ−Ｔ特性補正部７が担う。【０２２６】
このため、色補正部３１の出力bit数を３０bitから２４bitに削減できる。この場合、色補正部３１の内部のLUTのメモリサイズを、色補正部３の８／１０にすることができ、また、液晶表示装置１Ａ内のフレームメモリ４ａのサイズを、液晶表示装置１内のフレームメモリ４ａの８／１０にすることができる。【０２２７】
一方、液晶表示装置１Ａでは、Ｖ−Ｔ特性補正部７の追加によって、回路が増えてしまう。なお、Ｖ−Ｔ特性補正部７を、LUTを用いて実現する場合、そのメモリサイズは、(２^８)×１０bit＝２．５kbitとなる。【０２２８】
ここで、色補正部３１とＶ−Ｔ特性補正部７との両方を用いることによるメモリサイズの変化について説明する。【０２２９】
図３に示した色補正部３（ただし、出力bit数が２４bit）を、色補正部３１に適用した場合、色補正部３１とＶ−Ｔ特性補正部７との合計のメモリサイズは、１２０kbit×８／１０＋２．５kbit＝９８．５kbitとなり、図３に示した色補正部３（ただし、出力bit数が３０bit）のメモリサイズ１２０kbitよりも小さくなる。【０２３０】
図４に示した色補正部３Ａ（ただし、出力bit数が２４bit）を、色補正部３１に適用した場合、色補正部３１とＶ−Ｔ特性補正部７との合計のメモリサイズは、６０kbit×８／１０＋２．５kbit＝５０．５kbitとなり、図４に示した色補正部３Ａ（ただし、出力bit数が３０bit）のメモリサイズ６０kbitよりも小さくなる。【０２３１】
図５に示した色補正部３Ｂ（ただし、出力bit数が２４bit）を、色補正部３１に適用した場合、色補正部３１とＶ−Ｔ特性補正部７との合計のメモリサイズは、９６０kbit×８／１０＋２．５kbit＝７７０．５kbitとなり、図５に示した色補正部３Ｂ（ただし、出力bit数が３０bit）のメモリサイズ９６０kbitよりも小さくなる。【０２３２】
図６に示した色補正部３Ｃ（ただし、出力bit数が２４bit）を、色補正部３１に適用した場合、色補正部３１とＶ−Ｔ特性補正部７との合計のメモリサイズは、３８０kbit×８／１０＋２．５kbit＝３０６．５kbitとなり、図６に示した色補正部３Ｃ（ただし、出力bit数が３０bit）のメモリサイズ３８０kbitよりも小さくなる。【０２３３】
ここで注意しなければならないのは、Ｖ−Ｔ特性補正部７の影響の仕方が、並置（併置）加法混色もしくは同時加法混色を利用したカラー表示方式の液晶表示装置の場合と、  FSC方式の液晶表示装置の場合とで異なることである。【０２３４】
なお、並置（併置）加法混色を利用したカラー表示方式の液晶表示装置とは、R色、G色およびB色のカラーフィルターを有するサブ画素（サブピクセル）を近接配置してカラー表示する画素を、複数有する液晶表示装置である。【０２３５】
また、同時加法混色を利用したカラー表示方式の液晶表示装置とは、R色、G色およびB色のそれぞれを別々に変調する３つの液晶表示素子を有し、各色の変調された画像光を重ねて表示する液晶表示装置である。プロジェクタ等の投写型液晶表示装置は、このタイプが一般的であり、いわゆる３板式と呼ばれている。【０２３６】
ここで、Ｖ−Ｔ特性補正部７の影響の仕方について説明する。【０２３７】
ある画素に注目すると、前者、具体的には、並置（併置）加法混色もしくは同時加法混色を利用したカラー表示方式の液晶表示装置では、その画素は、常に同じ色を表示する。【０２３８】
よって、静止画を表示する場合は、時間が経てば液晶ダイレクタの状態は収束する。したがって、Ｖ−Ｔ特性補正部７が有する特性補正信号は、色ごとに、一意に作成することができる。【０２３９】
一方、後者、具体的には、FSC方式の液晶表示装置では、その画素が表示する色は一つではなく、静止画を表示する場合であっても、液晶ダイレクタの状態は収束しない場合が多い。【０２４０】
したがって、Ｖ−Ｔ特性補正部７が有する特性補正信号は、自色の映像信号のみで一意に作成することが容易にできない。故に、本来なら、複数の色の映像信号を受け付ける色補正部３１に、Ｖ−Ｔ特性補正の機能を含めるのが妥当である。【０２４１】
このような状況にもかかわらず、本実施形態では、非線形なＶ−Ｔ特性の補正の機能を、色補正部３１から分離してなお、  Ｖ−Ｔ特性補正の機能を有効に働かせる手法を提供するものである。【０２４２】
FSC方式の場合、多くの表示画像では、液晶ダイレクタの状態は収束しないが、液晶ダイレクタの状態が収束する画像もある。それは、R色，G色およびB色の階調レベルが互いに等しい場合、つまり、無彩色の画像である。【０２４３】
したがって、無彩色の画像データを有する映像信号を用いることによって、液晶ダイレクタの状態は収束するので、  Ｖ−Ｔ特性補正部７の特性補正信号を一意に作成することができる。なお、Ｖ−Ｔ特性補正部７の特性補正信号を一意に作成する際には、無彩色の画像データを有する映像信号は、色補正部３１をバイパスさせる。【０２４４】
また、Ｖ−Ｔ特性補正部７で使用する特性補正信号を作成する際に、FSC方式に固有な駆動条件となる画像を用いることを回避したので、並置（併置）加法混色もしくは同時加法混色を利用したカラー表示方式におけるＶ−Ｔ特性の補正データ作成方法を利用することができ、調整の工程を簡便化できる。【０２４５】
以上のようにして、液晶表示素子２の印加電圧と光の透過率の関係を表す非線形なＶ−Ｔ特性の補正機能を、色補正部３１とは別個のＶ−Ｔ特性補正部７に担わせることによって、色補正部３１の特性を線形に近づけることができる。したがって、色補正部３１の出力bit数を削減することができる。【０２４６】
なお、Ｖ−Ｔ特性補正部７を色ごとに複数設け、表示する色によって、使用するＶ−Ｔ特性補正部７を切り替えるようにしてもよい。【０２４７】
この場合の補正データは、無彩色の画像の映像信号を用い、常時単色の光を液晶表示素子に照明して、Ｖ−Ｔ特性を測定して作成すればよい。そうすることによって、液晶表示素子２の透過率特性の色依存性を、より精確に補正することができる。【０２４８】
［第３の実施の形態］
本発明の第３の実施の形態は、例えば、図２に示した液晶表示装置１の色補正部３として、図８に示した色補正部３２を用い、さらに、色補正部３２の前段に、色変換部８を設けたものである。【０２４９】
なお、本発明の第３の実施の形態は、例えば、図７に示した液晶表示装置１Ａの色補正部３１として、図８に示した色補正部３２を用い、さらに、色補正部３２の前段に、色変換部８を設けたものでもよい。【０２５０】
図８において、色補正部３２の前段の色変換部８は、一般的に生成手段と呼ぶことができる。【０２５１】
色変換部８は、R色、G色およびB色の３つの映像信号から、M色（マゼンタ色）、R色、G色、B色およびY色（黄色）のそれぞれに対応する５つの映像信号、具体的には、M色映像信号、R色映像信号、G色映像信号、B色映像信号およびY色映像信号を生成する。【０２５２】
本実施形態では、FSC方式におけるカラーフィールドが５色あって、その順番がM色、R色、G色、B色、Y色の順であるとする。【０２５３】
色補正部３２は、複数の映像信号を受け付けると、複数の色のそれぞれに１対１で対応する複数の補正信号を出力する。【０２５４】
なお、色補正部３２は、複数の映像信号として、M色映像信号、R色映像信号、G色映像信号、B色映像信号およびY色映像信号を受け付ける。【０２５５】
M色映像信号、R色映像信号、G色映像信号、B色映像信号およびY色映像信号のそれぞれは、８bitの信号である。なお、R色映像信号、G色映像信号、B色映像信号およびY色映像信号のそれぞれのbit数は、８bitに限らず適宜変更可能である。【０２５６】
また、色補正部３２は、複数の補正信号として、マゼンタ色に対応するM色補正信号と、R色補正信号と、G色補正信号と、B色補正信号と、黄色に対応するY色補正信号と、を出力する。【０２５７】
色補正部３２は、M色映像信号を元にしてM色補正信号を生成し、R色映像信号を元にしてR色補正信号を生成し、G色映像信号を元にしてG色補正信号を生成し、B色映像信号を元にしてB色補正信号を生成し、Y色映像信号を元にしてY色補正信号を生成する。【０２５８】
本実施形態では、データ並べ替え部４は、M色補正信号とR色補正信号とG色補正信号とB色補正信号とY色補正信号とを、M色補正信号、R色補正信号、G色補正信号、B色補正信号、Y色補正信号の順番で、駆動信号として、液晶表示素子２に出力する。なお、この順番は適宜変更可能である。【０２５９】
なお、本実施形態では、照明部５ａは、M色、R色、G色、B色およびY色の各色の光を液晶表示素子２に照射する。【０２６０】
照明部５ａの要素である光源として、R色、G色およびB色の光を個別に発する複数のLEDを用いる場合、  M色の光は、R色およびB色のLEDを同時に点灯すればよく、Y色の光は、R色およびG色のLEDを同時に点灯すればよい。【０２６１】
また、C色（シアン色）の光が必要であれば、G色およびB色のLEDを同時に点灯すればよく、W色（白色）の光が必要であれば、R色およびG色およびB色のLEDを同時に点灯すればよい。【０２６２】
色補正部３２は、M色補正LUT格納部３Ｍ４と、R色補正LUT格納部３Ｒ４と、G色補正LUT格納部３Ｇ４と、B色補正LUT格納部３Ｂ４と、Y色補正LUT格納部３Ｙ４と、を含む。【０２６３】
M色補正LUT格納部３Ｍ４とR色補正LUT格納部３Ｒ４とG色補正LUT格納部３Ｇ４とB色補正LUT格納部３Ｂ４とY色補正LUT格納部３Ｙ４とのそれぞれは、一般的に補正手段または格納手段と呼ぶことができる。このため、色補正部３２は、複数の補正手段（格納手段）を有することになる。【０２６４】
M色補正LUT格納部３Ｍ４は、M色映像信号と１対１で対応する。【０２６５】
M色補正LUT格納部３Ｍ４は、複数の映像信号のうち、自己に対応するM色映像信号と、Y色映像信号の一部と、B色映像信号の一部と、R色映像信号の一部と、を受け付けると、M色映像信号をY色映像信号の一部とB色映像信号の一部とR色映像信号の一部に基づいて補正したM色補正信号を出力する。【０２６６】
Y色映像信号は、M色映像信号を補正したM色補正信号の直前に、データ並べ替え部４から出力されるY色補正信号（他の補正信号）の元になった映像信号である。【０２６７】
B色映像信号は、Y色映像信号を補正したY色補正信号の直前に、データ並べ替え部４から出力されるB色補正信号（他の補正信号）の元になった映像信号である。【０２６８】
R色映像信号は、M色映像信号を補正したM色補正信号の直後に、データ並べ替え部４から出力されるR色補正信号（他の補正信号）の元になった映像信号である。【０２６９】
本実施形態では、M色補正LUT格納部３Ｍ４は、B色映像信号の上位２bitと、Y色映像信号の上位４bitと、M色映像信号の全８bitと、R色映像信号の上位３bitと、を入力して、M色補正信号を出力する。【０２７０】
例えば、M色補正LUT格納部３Ｍ４は、B色映像信号の上位２bitとY色映像信号の上位４bitとM色映像信号の全８bitとR色映像信号の上位３bitと、M色映像信号の全８bitをB色映像信号の上位２bitとY色映像信号の上位４bitとR色映像信号の上位３bitに基づいて補正したM色補正映像信号と、を互いに関連づけて格納するLUTを格納する。【０２７１】
M色補正LUT格納部３Ｍ４は、B色映像信号の上位２bitとY色映像信号の上位４bitとM色映像信号の全８bitとR色映像信号の上位３bitとを受け付けると、B色映像信号の上位２bitとY色映像信号の上位４bitとM色映像信号の全８bitとR色映像信号の上位３bitとに関連づけられたM色補正映像信号を、M色補正信号として出力する。【０２７２】
M色補正LUT格納部３Ｍ４は、前々フィールドのB色映像信号と前フィールドのY色映像信号と次フィールドのR色映像信号を参照することによって、  M色映像信号を補正する。【０２７３】
R色補正LUT格納部３Ｒ４は、R色映像信号と１対１で対応する。【０２７４】
なお、R色補正LUT格納部３Ｒ４についての詳しい説明は、上述したM色補正LUT格納部３Ｍ４の説明のうち、「M色補正LUT格納部３Ｍ４」を「R色補正LUT格納部３Ｒ４」に読み替え、対応映像信号を「M色映像信号」から「R色映像信号」に読み替え、他の映像信号を「Y色映像信号」および「R色映像信号」から「M色映像信号」および「G色映像信号」に読み替え、「B色映像信号」を「Y色映像信号」に読み替え、「M色補正信号」を「R色補正信号」に読み替え、「M色補正映像信号」を「R色補正映像信号」に読み替えることによって行うことができる。【０２７５】
G色補正LUT格納部３Ｇ４は、G色映像信号と１対１で対応する。【０２７６】
なお、G色補正LUT格納部３Ｇ４についての詳しい説明は、上述したM色補正LUT格納部３Ｍ４の説明のうち、「M色補正LUT格納部３Ｍ４」を「G色補正LUT格納部３Ｇ４」に読み替え、対応映像信号を「M色映像信号」から「G色映像信号」に読み替え、他の映像信号を「Y色映像信号」および「R色映像信号」から「R色映像信号」および「B色映像信号」に読み替え、「B色映像信号」を「M色映像信号」に読み替え、「M色補正信号」を「G色補正信号」に読み替え、「M色補正映像信号」を「G色補正映像信号」に読み替えることによって行うことができる。【０２７７】
B色補正LUT格納部３Ｂ４は、B色映像信号と１対１で対応する。【０２７８】
なお、B色補正LUT格納部３Ｂ４についての詳しい説明は、上述したM色補正LUT格納部３Ｍ４の説明のうち、「M色補正LUT格納部３Ｍ４」を「B色補正LUT格納部３Ｍ４」に読み替え、対応映像信号を「M色映像信号」から「B色映像信号」に読み替え、他の映像信号を「Y色映像信号」および「R色映像信号」から「G色映像信号」および「Y色映像信号」に読み替え、「B色映像信号」を「R色映像信号」に読み替え、「M色補正信号」を「B色補正信号」に読み替え、「M色補正映像信号」を「B色補正映像信号」に読み替えることによって行うことができる。【０２７９】
Y色補正LUT格納部３Ｙ４は、Y色映像信号と１対１で対応する。【０２８０】
なお、Y色補正LUT格納部３Ｙ４についての詳しい説明は、上述したM色補正LUT格納部３Ｍ４の説明のうち、「M色補正LUT格納部３Ｍ４」を「Y色補正LUT格納部３Ｙ４」に読み替え、対応映像信号を「M色映像信号」から「Y色映像信号」に読み替え、他の映像信号を「Y色映像信号」および「R色映像信号」から「B色映像信号」および「M色映像信号」に読み替え、「B色映像信号」を「G色映像信号」に読み替え、「M色補正信号」を「Y色補正信号」に読み替え、「M色補正映像信号」を「Y色補正映像信号」に読み替えることによって行うことができる。【０２８１】
本実施形態によれば、色変換部８が３つの映像信号から５つの映像信号を生成し、色補正部３２が、５つの映像信号のそれぞれを補正する。【０２８２】
このため、３色以上の多色フィールドを有するFSC方式の場合にも、オーバードライブは適用することが可能になる。【０２８３】
［第４の実施の形態］
本発明の第４の実施の形態は、例えば、図２に示した液晶表示装置１の色補正部３として、図９に示した色補正部３３を用いたものである。【０２８４】
なお、本発明の第４の実施の形態は、例えば、図７に示した液晶表示装置１Ａの色補正部３１として、図９に示した色補正部３３を用いたものでもよい。【０２８５】
本実施形態では、FSC方式におけるカラーフィールドの順番がB、G、Rの順であるとする。【０２８６】
よって、データ並べ替え部４は、B色補正信号とG色補正信号とR色補正信号とを、B色補正信号、G色補正信号、R色補正信号の順番で、駆動信号として、液晶表示素子２に出力する。なお、この順番は適宜変更可能である。【０２８７】
本実施形態の特徴は、補正信号を、次フィールドの色の補正に用いたことであり、また、補正に用いる補正信号の参照が無限ループにならないようにしたことであり、また、フレームをまたがる色の映像信号を参照しないようにしたことである。【０２８８】
色補正部３３は、B色補正LUT格納部３Ｂ５、G色補正LUT格納部３Ｇ５、および、R色補正LUT格納部３Ｒ５を含む。【０２８９】
B色補正LUT格納部３Ｂ５は、一般的に、補正手段または格納手段と呼ぶことができる。【０２９０】
B色補正LUT格納部３Ｂ５は、B色映像信号と１対１で対応する。【０２９１】
B色補正LUT格納部３Ｂ５は、次フィールドのG色の色再現性が改善するように、B色映像信号を補正する。【０２９２】
B色補正LUT格納部３Ｂ５は、  B色映像信号の全８bitと、G色映像信号の上位３bitと、を入力して、B色補正信号を出力する。【０２９３】
例えば、B色補正LUT格納部３Ｂ５は、B色映像信号の全８bitとG色映像信号の上位３bitと、B色映像信号の全８bitをG色映像信号の上位３bitに基づいて補正したB色補正映像信号と、を互いに関連づけて格納するLUTを格納する。【０２９４】
B色補正LUT格納部３Ｂ５は、B色映像信号の全８bitとG色映像信号の上位３bitを受け付けると、B色映像信号の全８bitとG色映像信号の上位３bitに関連づけられたB色補正映像信号を、B色補正信号として出力する。【０２９５】
G色補正LUT格納部３Ｇ５は、一般的に、補正手段、格納手段または映像信号補正手段と呼ぶことができる。【０２９６】
G色補正LUT格納部３Ｇ５は、G色映像信号と１対１で対応する。【０２９７】
G色補正LUT格納部３Ｇ５は、前フィールドのB色補正信号を参照してG色の再現性が改善するように、また、次フィールドのR色映像信号を参照してR色の再現性が改善するように、G色映像信号を補正する。【０２９８】
G色補正LUT格納部３Ｇ５は、B色補正信号の上位４bitと、G色映像信号の全８bitと、R色映像信号の上位３bitと、を入力して、G色補正信号を出力する。【０２９９】
例えば、G色補正LUT格納部３Ｇ５は、B色補正信号の上位４bitとG色映像信号の全８bitとR色映像信号の上位３bitと、G色映像信号の全８bitをB色補正信号の上位４bitとR色映像信号の上位３bitに基づいて補正したG色補正映像信号と、を互いに関連づけて格納するLUTを格納する。【０３００】
G色補正LUT格納部３Ｇ５は、B色補正信号の上位４bitとG色映像信号の全８bitとR色映像信号の上位３bitを受け付けると、B色補正信号の上位４bitとG色映像信号の全８bitとR色映像信号の上位３bitに関連づけられたG色補正映像信号を、G色補正信号として出力する。【０３０１】
R色補正LUT格納部３Ｒ５は、一般的に、補正手段、格納手段または映像信号補正手段と呼ぶことができる。【０３０２】
R色補正LUT格納部３Ｒ５は、R色映像信号と１対１で対応する。【０３０３】
R色補正LUT格納部３Ｒ５は、前フィールドのG色補正信号を参照してR色の再現性が改善するように、  R色映像信号を補正する。【０３０４】
R色補正LUT格納部３Ｒ５は、G色補正信号の上位４bitと、R色映像信号の全８bitと、を入力して、R色補正信号を出力する。【０３０５】
例えば、R色補正LUT格納部３Ｒ５は、G色補正信号の上位４bitとR色映像信号の全８bitと、R色映像信号の全８bitをG色補正信号の上位４bitに基づいて補正したR色補正映像信号と、を互いに関連づけて格納するLUTを格納する。【０３０６】
R色補正LUT格納部３Ｒ５は、G色補正信号の上位４bitとR色映像信号の全８bitを受け付けると、G色補正信号の上位４bitとR色映像信号の全８bitに関連づけられたR色補正映像信号を、R色補正信号として出力する。【０３０７】
本実施形態によれば、G色補正LUT格納部３Ｇ５およびR色補正LUT格納部３Ｒ５のそれぞれは、補正信号を次フィールドの色の補正に用いるので、より精確に、色再現性および階調再現性を改善することができる。【０３０８】
また、補正に用いる補正信号の参照が無限ループにならないようにしたので、各補正LUT格納部からの出力が収束しなくなることを回避できる。【０３０９】
FSC方式におけるカラーフィールドの順番がB、G、Rの順である場合、もし、B色補正LUT格納部３Ｂ５が前フィールドのR色映像信号を参照すると、それは前フレームの映像信号を参照することになる。【０３１０】
静止画を表示する場合は、前フレームの映像信号と自フレームの映像信号とは等しいので問題ないが、動画を表示する場合は、多くの場合、映像信号は異なるので、誤った補正をすることになってしまう。【０３１１】
本実施形態では、B色補正LUT格納部３Ｂ５、G色補正LUT格納部３Ｇ５、および、R色補正LUT格納部３Ｒ５のそれぞれは、フレームをまたがる色の映像信号を参照しない。このため、動画を表示する場合の色再現性および階調再現性を改善することができる。【０３１２】
なお、本実施形態では、FSC方式におけるカラーフィールドがB色、G色およびR色であったが、FSC方式におけるカラーフィールドが、Y色、B色、G色、R色およびM色である場合、色補正部３３の前段に、図８に示した色変換部８が設けられ、色補正部３３が、M色補正LUT格納部３Ｍ４とY色補正LUT格納部３Ｙ４をさらに含めばよい。【０３１３】
［第５の実施の形態］
本発明の第５の実施の形態は、例えば、図２に示した液晶表示装置１の色補正部３として、図１０に示した色補正部３４を用いたものである。【０３１４】
なお、本発明の第５の実施の形態は、例えば、図７に示した液晶表示装置１Ａの色補正部３１として、図１０に示した色補正部３４を用いたものでもよい。【０３１５】
本実施形態では、FSC方式におけるカラーフィールドの順番がB、G、Rの順であるとする。【０３１６】
よって、データ並べ替え部４は、B色補正信号とG色補正信号とR色補正信号とを、B色補正信号、G色補正信号、R色補正信号の順番で、駆動信号として、液晶表示素子２に出力する。なお、この順番は適宜変更可能である。【０３１７】
本実施形態の特徴は、補正信号を、次フィールドの色の補正に用いたことであり、また、補正に用いる補正信号の参照が無限ループにならないようにしたことであり、また、前フレームのデータを参照する場合はフレームバッファを経由させるようにしたことであり、また、次フレームのデータを参照しないようにしたことである。【０３１８】
色補正部３４は、フレームバッファ３４ａ、B色補正LUT格納部３Ｂ６、G色補正LUT格納部３Ｇ６、および、R色補正LUT格納部３Ｒ６を含む。【０３１９】
フレームバッファ３４ａは、一般的に記憶手段と呼ぶことができる。【０３２０】
フレームバッファ３４ａは、１フレームが更新された際に、更新前の１フレームを構成する複数の映像信号のうちデータ並べ替え部４から最後に出力される補正信号の元になった映像信号（本実施形態の場合、R色映像信号）を記憶する。【０３２１】
なお、フレームバッファ３４ａは、更新前の１フレームを構成する複数の映像信号のうちデータ並べ替え部４から最後に出力される補正信号（本実施形態の場合、R色補正信号）を記憶してもよい。【０３２２】
B色補正LUT格納部３Ｂ６は、一般的に、補正手段、格納手段、または、色映像信号補正手段と呼ぶことができる。【０３２３】
B色補正LUT格納部３Ｂ６は、B色映像信号と１対１で対応する。【０３２４】
B色補正LUT格納部３Ｂ６は、前フィールド（前フレーム）のR色映像信号または同一フレームのR色補正信号を参照してB色の再現性が改善するように、また、次フィールドのG色映像信号を参照してG色の再現性が改善するように、  B色映像信号を補正する。【０３２５】
B色補正LUT格納部３Ｂ６は、フレームバッファ３４ａ内の１フレーム前のR色映像信号の上位４bitと、  B色映像信号の全８bitと、G色映像信号の上位３bitと、を入力して、B色補正信号を出力する。【０３２６】
例えば、B色補正LUT格納部３Ｂ６は、１フレーム前のR色映像信号の上位４bitと  B色映像信号の全８bitとG色映像信号の上位３bitと、B色映像信号の全８bitを１フレーム前のR色映像信号の上位４bitとG色映像信号の上位３bitに基づいて補正したB色補正映像信号と、を互いに関連づけて格納するLUTを格納する。【０３２７】
B色補正LUT格納部３Ｂ６は、１フレーム前のR色映像信号の上位４bitと  B色映像信号の全８bitとG色映像信号の上位３bitを受け付けると、１フレーム前のR色映像信号の上位４bitと  B色映像信号の全８bitとG色映像信号の上位３bitに関連づけられたB色補正映像信号を、B色補正信号として出力する。【０３２８】
G色補正LUT格納部３Ｇ６は、図９に示したG色補正LUT格納部３Ｇ５と同一構成である。【０３２９】
R色補正LUT格納部３Ｒ６は、一般的に、補正手段、格納手段、または、映像信号補正手段と呼ぶことができる。【０３３０】
R色補正LUT格納部３Ｒ６は、R色映像信号と１対１で対応する。【０３３１】
R色補正LUT格納部３Ｒ６は、前々フィールドのB色補正信号および前フィールドのG色補正信号を参照してR色の再現性が改善するように、R色補正信号を補正する。【０３３２】
R色補正LUT格納部３Ｒ６は、B色補正信号の上位３bitと、G色補正信号の上位４bitと、R色映像信号の全８bitと、を入力して、R色補正信号を出力する。【０３３３】
例えば、R色補正LUT格納部３Ｒ６は、B色補正信号の上位３bitとG色補正信号の上位４bitとR色映像信号の全８bitと、R色映像信号の全８bitをB色補正信号の上位３bitとG色補正信号の上位４bitに基づいて補正したR色補正映像信号と、を互いに関連づけて格納するLUTを格納する。【０３３４】
R色補正LUT格納部３Ｒ５は、B色補正信号の上位３bitとG色補正信号の上位４bitとR色映像信号の全８bitを受け付けると、B色補正信号の上位３bitとG色補正信号の上位４bitとR色映像信号の全８bitに関連づけられたR色補正映像信号を、R色補正信号として出力する。【０３３５】
本実施形態では、補正後の色の映像信号、つまり、補正信号を、次フィールドの色の補正に用いるようにしたので、色再現性または階調再現性を改善することができる。【０３３６】
また、参照が無限ループにならないようにしたので、各補正LUT格納部からの出力が収束しなくなることを回避できる。【０３３７】
本実施形態では、B色補正LUT格納部３Ｂ６は、前フレームにおける前フィールドのデータを参照する場合は、フレームバッファ３４ａ内の映像信号または補正信号を参照し、現フレームにおける前フィールドの色のデータ（実際には次々フィールドの色のデータ）参照しないようにしたので、前フレームの映像と現在のフレームの映像とが大きく異なる場合の色再現性および階調再現性を改善することができる。【０３３８】
なお、本実施形態では、前フレームにおける１フィールド分のデータをバッファし参照するようにしたが、更に多くのフィールド分のデータをバッファし参照するようにしてもよい。そうすることによって、より精確に色再現性および階調再現性を改善することができる。【０３３９】
なお、本実施形態では、FSC方式におけるカラーフィールドがB色、G色およびR色であったが、FSC方式におけるカラーフィールドが、Y色、B色、G色、R色およびM色である場合、色補正部３４の前段に、図８に示した色変換部８が設けられ、色補正部３４が、M色補正LUT格納部３Ｍ４とY色補正LUT格納部３Ｙ４をさらに含めばよい。【０３４０】
［他の実施の形態］
以上の各実施形態では、特定のbit数で説明したが、各補正LUT格納部において削減するbit数は、補正の精度とメモリサイズとのトレードオフの関係に基づき、それぞれ独立に変更可能（０bit以上または１bit以上）である。【０３４１】
また、補正の精度とメモリサイズとのトレードオフの関係に基づき、例えば、複数の補正LUT格納部のうちの少なくとも１つ（例えば、最も応答が遅い赤色に対応する補正LUT格納部）を、オーバードライブ用の補正信号を出力するものとし、他の補正LUT格納部は、オーバードライブ用の補正信号を出力しないもの（例えば、Ｖ−Ｔ特性に基づく補正が行われた補正信号を出力する補正LUT格納部）としてもよい。【０３４２】
以上の各実施形態では、各色補正LUT格納部は、別々に設けたが、いくつかの色で１つの色補正LUT格納部を時分割で共用するようにしてもよい。なお、この場合も、複数の色補正LUT格納部が設けられる。この場合、メモリサイズを小さくできる。【０３４３】
以上の各実施形態では、各補正LUT格納部が色補正をLUTのみで実現するように説明したが、各補正LUT格納部がLUTと演算とを組み合わせて色補正を行ってもよい。例えば、各補正LUT格納部は、映像信号の上位bitについてはLUTを用いて補正し、映像信号の下位bitについては補間演算を用いて補正するようにしてもよい。【０３４４】
また、補正LUT格納部の代わりに、演算によって補正信号を生成する色補正演算部が用いられてもよい。この場合、各色補正演算部は、補正手段として機能し、映像信号のそれぞれの１対１で対応する。【０３４５】
以上の各実施形態は、液晶表示素子２が、ノーマリホワイトの構成でも、ノーマリブラックの構成でも適用できる。【０３４６】
なお、焼付き防止のための液晶への印加電界の極性反転の方法については、周知の技術と各本願の発明との組合わせにより、当業者は容易に発想し得る。【０３４７】
以上、各実施形態を参照して本願発明を説明したが、本願発明は上記実施形態に限定されるものではない。本願発明の構成や詳細には、本願発明のスコープ内で当業者が理解し得る様々な変更をすることができる。
【図１】
2010073393.tif 000003
【図２】
2010073393.tif 000004
【図３】
2010073393.tif 000005
【図４】
2010073393.tif 000006
【図５】
2010073393.tif 000007
【図６】
2010073393.tif 000008
【図７】
2010073393.tif 000009
【図８】
2010073393.tif 000010
【図９】
2010073393.tif 000011
【図１０】
2010073393.tif 000012
【国際調査報告】
2010073393.tif 000013
2010073393.tif 000014
2010073393.tif 000015
2010073393.tif 000016